【手続補正書】
【提出日】平成16年1月7日(2004.1.7)
【手続補正１】
【補正対象書類名】明細書
【補正対象項目名】請求項１
【補正方法】変更
【補正の内容】
【請求項１】
下記一般式（１）
【化１】
1998140160.tif 000001
〔式中、Ｘ1 、Ｘ2 、Ｘ3 、Ｘ4 、Ｙ1 、Ｙ2 、Ｙ3 及びＹ4 は、それぞれ独立に、ＣＨ、ＣＦ又はＮを表し、Ｒ01はＣ1 〜Ｃ12アルキル基、Ｃ2 〜Ｃ12アルケニル基又はＣ2 〜Ｃ16アルコキシアルキル基を表し、Ａ01は水素原子、フッ素原子、トリフルオロメチル基、フッ素置換させていてもよいメトキシ基、フッ素置換されていてもよいエトキシ基、シアノ基、４−Ｒ02−（シクロアルキル）基、４−Ｒ02−（シクロアルケニル）基又はＲ02−（Ｏ）ｒ01基を表し、Ｒ02は水素原子、フッ素原子、Ｃ1 〜Ｃ12アルキル基、Ｃ2 〜Ｃ12アルケニル基又はＣ2 〜Ｃ12アルキニル基を表し、ｒ01は０又は１であり、Ｗ01はトランスの−ＣＨ＝ＣＨ−又は−Ｃ≡Ｃ−を表す。〕
で示されるスチルベン化合物の少なくとも１種と、下記一般式（２）
【化２】
1998140160.tif 000002
〔式中、環Ａ、環Ｂ、環Ｃ及び環Ｄは、それぞれ独立に、フッ素置換されていてもよい１，４−フェニレン、及び１，４−シクロヘキシレン、１，４−シクロヘキセニレン、４，１−シクロヘキセニレン、２，５−シクロヘキセニレン、５，２−シクロヘキセニレン、３，６−シクロヘキセニレン、６，３−シクロヘキセニレン、２，５−ピリミジンジイル、５，２−ピリミジンジイル、２，５−ピリジンジイル、５，２−ピリジンジイル、２，５−ジオキサンジイル又は５，２−ジオキサンジイルを表し、Ｒ2 は水素原子、Ｃ1 〜Ｃ12アルキル基、Ｃ2 〜Ｃ12アルケニル基、Ｃ1 〜Ｃ16アルコキシル基又はＣ2 〜Ｃ16アルコキシアルキル基を表し、Ｒ3は水素原子、フッ素原子、フルオロメチル基、ジフルオロメチル基、トリフルオロメチル基、フルオロメトキシ基、ジフルオロメトキシ基、トリフルオロメトキシ基、シアノ基、Ｃ1 〜Ｃ12アルキル基、Ｃ2 〜Ｃ12アルケニル基、Ｃ1 〜Ｃ16アルコキシル基又はＣ2 〜Ｃ16アルコキシアルキル基を表し、Ｚ1 、Ｚ2 及びＺ3 は、それぞれ独立に−ＣＯＯ−、−ＯＣＯ−、−ＯＣＨ2 −ＣＨ2 Ｏ−、Ｃ1〜Ｃ5 アルキレン基、Ｃ2 〜Ｃ5 アルケニレン基、Ｃ2 〜Ｃ5 アルキニレン基又は単結合を表し、Ｅ及びＧは、それぞれ独立にメチレン又は−Ｏ−を表し、ａ、ｂ、ｃ、ｄ及びｅは、それぞれ独立に０又は１であり、かつｂ＋ｃ＋ｄ≧１を満たすものである。但し、Ｒ2 がアルコキシル基である場合においては、ａは０であり、Ｒ3 がアルコキシル基である場合、ｅは０である。Ｒ2 及びＲ3 がアルコキシル基でない場合においては、ｂが１で環Ａが１，４−フェニレン、２，５−ピリミジンジイル、５，２−ピリミジンジイル、２，５−ピリジンジイル又は５，２−ピリジンジイルである時、ｂが０、ｃが１で環Ｂが１，４−フェニレン、２，５−ピリミジンジイル、５，２−ピリミジンジイル、２，５−ピリジンジイル又は５，２−ピリジンジイルである時、及びｂが０、ｃが０、ｄが１で環Ｃが１，４−フェニレン、２，５−ピリミジンジイル、５，２−ピリミジンジイル、２，５−ピリジンジイル又は５，２−ピリジンジイルである時は、ａは１であり、又環Ｄが１，４−フェニレン、２，５−ピリミジンジイル、５，２−ピリミジンジイル、２，５−ピリジンジイル又は５，２−ピリジンジイルの時は、ｅは１である。又一般式（１）に含まれるものは除く。〕
で示される少なくとも１種の化合物とを含有することを特徴とする液晶組成物。
【手続補正２】
【補正対象書類名】明細書
【補正対象項目名】００１１
【補正方法】変更
【補正の内容】
【００１１】
〔式中、環Ａ、環Ｂ、環Ｃ及び環Ｄは、それぞれ独立に、フッ素置換されていてもよい１，４−フェニレン、及び１，４−シクロヘキシレン、１，４−シクロヘキセニレン、４，１−シクロヘキセニレン、２，５−シクロヘキセニレン、５，２−シクロヘキセニレン、３，６−シクロヘキセニレン、６，３−シクロヘキセニレン、２，５−ピリミジンジイル、５，２−ピリミジンジイル、２，５−ピリジンジイル、５，２−ピリジンジイル、２，５−ジオキサンジイル又は５，２−ジオキサンジイルを表し、Ｒ2 は水素原子、Ｃ1 〜Ｃ12アルキル基、Ｃ2 〜Ｃ12アルケニル基、Ｃ1 〜Ｃ16アルコキシル基又はＣ2 〜Ｃ16アルコキシアルキル基を表し、Ｒ3は水素原子、フッ素原子、フルオロメチル基、ジフルオロメチル基、トリフルオロメチル基、フルオロメトキシ基、ジフルオロメトキシ基、トリフルオロメトキシ基、シアノ基、Ｃ1 〜Ｃ12アルキル基、Ｃ2 〜Ｃ12アルケニル基、Ｃ1 〜Ｃ16アルコキシル基又はＣ2 〜Ｃ16アルコキシアルキル基を表し、Ｚ1 、Ｚ2 及びＺ3 は、それぞれ独立に−ＣＯＯ−、−ＯＣＯ−、−ＯＣＨ2 −ＣＨ2 Ｏ−、Ｃ1〜Ｃ5 アルキレン基、Ｃ2 〜Ｃ5 アルケニレン基、Ｃ2 〜Ｃ5 アルキニレン基又は単結合を表し、Ｅ及びＧは、それぞれ独立にメチレン又は−Ｏ−を表し、ａ、ｂ、ｃ、ｄ及びｅは、それぞれ独立に０又は１であり、かつｂ＋ｃ＋ｄ≧１を満たすものである。但し、Ｒ2 がアルコキシル基である場合においては、ａは０であり、Ｒ3 がアルコキシル基である場合、ｅは０である。Ｒ2 及びＲ3 がアルコキシル基でない場合においては、ｂが１で環Ａが１，４−フェニレン、２，５−ピリミジンジイル、５，２−ピリミジンジイル、２，５−ピリジンジイル又は５，２−ピリジンジイルである時、ｂが０、ｃが１で環Ｂが１，４−フェニレン、２，５−ピリミジンジイル、５，２−ピリミジンジイル、２，５−ピリジンジイル又は５，２−ピリジンジイルである時、及びｂが０、ｃが０、ｄが１で環Ｃが１，４−フェニレン、２，５−ピリミジンジイル、５，２−ピリミジンジイル、２，５−ピリジンジイル又は５，２−ピリジンジイルである時は、ａは１であり、又環Ｄが１，４−フェニレン、２，５−ピリミジンジイル、５，２−ピリミジンジイル、２，５−ピリジンジイル又は５，２−ピリジンジイルの時は、ｅは１である。又一般式（１）に含まれるものは除く。〕
で示される少なくとも１種の化合物とを含有することを特徴とする液晶組成物。


【手続補正３】
【補正対象書類名】明細書
【補正対象項目名】００３２
【補正方法】変更
【補正の内容】
【００３２】
本発明において、上記の一般式（２）で示される化合物の環Ｄが、フッ素置換されていてもよい１，４−フェニレン、及び１，４−シクロヘキシレン、１，４−シクロヘキセニレン、４，１−シクロヘキセニレン、２，５−シクロヘキセニレン、５，２−シクロヘキセニレン、３，６−シクロヘキセニレン、６，３−シクロヘキセニレン、２，５−ジオキサンジイル、５，２−ジオキサンジイル、２，５−ピリミジンジイル、５，２−ピリミジンジイル又は２，５−ピリジンジイルのいずれかである場合が好ましい。
また、一般式（２）で示される化合物が、下記一般式（９)


【手続補正４】
【補正対象書類名】明細書
【補正対象項目名】００４５
【補正方法】変更
【補正の内容】
【００４５】
一般式（１）で示される化合物について説明する。
一般式（１）において、Ａ01としてメチル、エチル、プロピル、ブチル、ペンチル、ヘキシル、ヘプチル、オクチル、ノニル、デシル、ウンデシル、ドデシル、エテニル、プロペニル、ブテニル、ペンテニル、ヘキセニル、ヘプテニル、オクテニル、ノネニル、デセニル、ウンデセニル、ドデセニル、プロピニル、ブチニル、ペンチニル、ヘキシニル、ヘプチニル、オクチニル、ノニニル、デシニル、ドデシニル、メトキシ、エトキシ、プロポキシ、ブトキシ、ペンチルオキシ、ヘキシルオキシ、オクチルオキシ、ノニルオキシ、デシルオキシ、ウンデシルオキシ、ドデシルオキシ、ビニルオキシ、プロペニルオキシ、ビテニルオキシ、ペンテニルオキシ、ヘキセニルオキシ、ヘプテニルオキシ、オクテニルオキシ、ノネニルオキシ、デセニルオキシ、プロピオニルオキシ、ブチニルオキシ、ペンチニルオキシ、ヘキシニルオキシ、ヘプチニルオキシ、オクチニルオキシ、ノニニルオキシ、デシニルオキシ、ドデシニルオキシ、４−メチルシクロヘキシル、４−エチルシクロヘキシル、４−プロピルシクロヘキシル、４−ブチルシクロヘキシル、４−ペンチルシクロヘキシル、４−ヘキシルシクロヘキシル、４−オクチルシクロヘキシル、４−ノニルシクロヘキシル、４−デシルシクロヘキシル、４−プロピルシクロヘキセニル、４−ペンチルシクロヘキセニル、水素原子、フッ素原子、トリフルオロメチル基、トリフルオロメトキシ基、シアノ基等が挙げられる。